(57)【特許請求の範囲】
【請求項１】
液透過性のトップシート、液不透過性のバックシート及び両シート間に介在された液体保持性の吸収体を具備し、レッグ部弾性部材が配された長方形状のおむつ本体と、胴部弾性部材が配された細帯状の一対の弾性部材付設シートとからなり、
一対の上記弾性部材付設シートは、上記おむつ本体の腹側部を構成する下方部及び背側部を構成する上方部に、それらの両側方部がそれぞれ上記おむつ本体の左右両側縁から外方に延出するように配されており、
上記レッグ部弾性部材は、上記おむつ本体の長手方向に沿って設けられた一対の第１レッグ部弾性部材と、一対の該第１レッグ部弾性部材よりも該おむつ本体の幅方向内方に設けられた一対の第２レッグ部弾性部材とからなり、該第２レッグ部弾性部材は、その両端部よりも中央部がおむつ本体の幅方向内方に変位されており、
上記第１レッグ部弾性部材は、全長に亘って、上記おむつ本体の左右両側縁部における上記吸収体が存在しない箇所に配されており、
上記第１レッグ部弾性部材及び上記第２レッグ部弾性部材は、それらの両端部の位置が、一対の上記弾性部材付設シートそれぞれのおむつ股下部側の端縁の位置と略一致しており、
上記腹側部に配された上記弾性部材付設シートの両側縁部と上記背側部に配された上記弾性部材付設シートの両側縁部とは、それぞれ接合されて、左右一対の接合部が形成されて、胴部に、実質的におむつの胴周囲方向に連続した胴回りギャザーが形成されている、
ことを特徴とするパンツ型の使い捨ておむつ。
【請求項２】
上記第１及び第２レッグ部弾性部材と上記胴部弾性部材とにより、腹側部側及び背側部側における着用者の下腹部に位置する部位にそれぞれポケット部が形成され、上記第１及び第２レッグ部弾性部材により、股下部における、第１レッグ部弾性部材と第２レッグ部弾性部材との間、及び一対の第２レッグ部弾性部材間に、それぞれポケット部が形成されるようになされている請求項１記載のパンツ型の使い捨ておむつ。
【発明の詳細な説明】
【０００１】
【発明の属する技術分野】
本発明は、脚周りの開放感が良好で、装着感に優れ、更にはフィット性にも優れたパンツ型の使い捨ておむつに関する。
【０００２】
【従来の技術及び発明が解決しようとする課題】
従来より、液透過性のトップシートと、液不透過性のバックシートと、両シート間に介在された液体保持性の吸収体とを具備してなり、腹側部の左右両側縁部と背側部の左右両側縁部とを接合して左右一対の接合部が形成されており、ウエスト部及びレッグ部に、それぞれ、弾性部材が配されており、使い捨ておむつの胴周囲方向に連続したギャザーが形成されている、パンツ型の使い捨ておむつは、広く用いられている。
【０００３】
しかし、従来のパンツ型の使い捨ておむつは、ウエスト部及びレッグ部のフィット性を高めて、漏れ防止性能を向上させるなどのために、おむつを展開した状態における長手方向中央部（股下部）の幅よりも長手方向両端部（腹側部及び背側部）の幅の方が広くなるように、股下部を湾曲させた形状となされていた。このため、従来のパンツ型使い捨ておむつにおいては、下記するような問題があった。
即ち、脚周り部分が着用者の脚及び脚の付け根を必要以上に覆うような構造であったため、暑苦しく、装着感が悪い。また、製造時において部材を特殊な形状にカットする必要があるため、生産工程が複雑化し、生産性に劣り、またコストも高い。
このような問題は、特に、夏場や暑い地方において顕著な問題である。
【０００４】
従って、本発明の目的は、脚周りの開放感が良好で、装着感に優れ、更にはフィット性及び生産性にも優れたパンツ型の使い捨ておむつを提供することにある。
【０００５】
【課題を解決するための手段】
本発明者らは、上記課題を解決するために鋭意検討した結果、おむつを長方形状のおむつ本体と細帯状の弾性部材付設シートにより形成し、また、おむつ本体に第１レッグ部弾性部材及び該第１レッグ部弾性部材よりも内方に配された第２レッグ部弾性部材を設けて、胴部及びレッグ部にそれぞれギャザーを形成してなるパンツ型の使い捨ておむつが、上記目的を達成しうることを知見した。
【０００６】
【課題を解決するための手段】
本発明は、上記知見に基づいてなされたもので、液透過性のトップシート、液不透過性のバックシート及び両シート間に介在された液体保持性の吸収体を具備し、レッグ部弾性部材が配された長方形状のおむつ本体と、胴部弾性部材が配された細帯状の一対の弾性部材付設シートとからなり、一対の上記弾性部材付設シートは、上記おむつ本体の腹側部を構成する下方部及び背側部を構成する上方部に、それらの両側方部がそれぞれ上記おむつ本体の左右両側縁から外方に延出するように配されており、上記レッグ部弾性部材は、上記おむつ本体の長手方向に沿って設けられた一対の第１レッグ部弾性部材と、一対の該第１レッグ部弾性部材よりも該おむつ本体の幅方向内方に設けられた一対の第２レッグ部弾性部材とからなり、該第２レッグ部弾性部材は、その両端部よりも中央部がおむつ本体の幅方向内方に変位されており、上記第１レッグ部弾性部材は、全長に亘って、上記おむつ本体の左右両側縁部における上記吸収体が存在しない箇所に配されており、上記第１レッグ部弾性部材及び上記第２レッグ部弾性部材は、それらの両端部の位置が、一対の上記弾性部材付設シートそれぞれのおむつ股下部側の端縁の位置と略一致しており、上記腹側部に配された上記弾性部材付設シートの両側縁部と上記背側部に配された上記弾性部材付設シートの両側縁部とは、それぞれ接合されて、左右一対の接合部が形成されて、胴部に、実質的におむつの胴周囲方向に連続した胴回りギャザーが形成されているパンツ型の使い捨ておむつを提供するものである。
【０００７】
【発明の実施の態様】
以下、図面を参照して本発明を更に詳細に説明する。
ここで、図１は、本発明のパンツ型の使い捨ておむつの１形態を示す斜視図であり、図２は、図１に示すパンツ型の使い捨ておむつの展開図であり、図３は、図２のIII-III 拡大断面図であり、図４は、図２のIV-IV 拡大断面図である。
また、図５は、図１に示すパンツ型の使い捨ておむつの使用状態を示す概要図である。
【０００８】
本形態のパンツ型の使い捨ておむつ１は、図１及び図２に示すように、液透過性のトップシート２、液不透過性のバックシート３、両シート２，３間に介在された液体保持性の吸収体４を具備し、レッグ部６にレッグ部弾性部材６１が配された、長方形状のおむつ本体１０と、胴部弾性部材５１が配された細帯状の一対の弾性部材付設シート７とからなる。
そして、一対の上記弾性部材付設シート７，７は、上記おむつ本体１０における腹側部Ａを構成する下方部Ａ’及び背側部Ｂを構成する上方部Ｂ’において、それらの両側方部７０ａ，７０ｂ，７０ａ’，７０ｂ’がそれぞれ上記おむつ本体１０の左右両側縁１０ａ，１０ｂから外方に延出するように配されており、上記レッグ部弾性部材６１は、上記おむつ本体１０の長手方向に沿って設けられた一対の第１レッグ部弾性部材６２と、一対の該第１レッグ部弾性部材６２よりも該おむつ本体１０の幅方向内方に設けられた一対の第２レッグ部弾性部材６３とからなり、該第２レッグ部弾性部材６３は、その両端部６３ａよりも中央部６３ｂがおむつ本体１０の幅方向内方に変位されており、上記腹側部Ａに配された上記弾性部材付設シート７の両側縁部７ａ，７ｂと上記背側部Ｂに配された上記弾性部材付設シート７の両側縁部７ａ’，７ｂ’とは、それぞれ接合されて、左右一対の接合部８，８が形成されて、胴部５に、実質的におむつの胴周囲方向に連続した胴回りギャザーが形成されている。
【０００９】
本形態において用いられる上記トップシート２、上記バックシート３、及び上記吸収体４については、いずれも、従来これらの形成材料として用いられるものを特に制限なく用いて形成することができる。
【００１０】
また、上記「胴部」とは、図１及び２に示すように、着用時に着用者のウエスト回り（ウエスト開口部）及び胴回りに位置する部分を意味する。
【００１１】
更に詳述すると、図２に示すように、上記おむつ本体１０の外周形を構成している上記トップシート２及び上記バックシート３は、それぞれ、ほぼ同形状であり、上記吸収体４は、上記トップシート２及び上記バックシート３よりもやや小さい長方形状であり、両シートに接着剤を介して接着されている。
上記弾性部材付設シート７は、幅広のシートをその幅方向中心線において２つ折りに折り畳んだ２層構造となされており、全体として細帯状となされている。また、該弾性部材付設シート７は、その端縁が上記おむつ本体の端縁に沿うように、上記トップシート２及び上記バックシート３により挟持固定されている（図３参照）。
上記弾性部材付設シート７の幅Ｗ1 は、上記おむつ本体１０の長さＬ1 に対して、該おむつ本体１０の長さＬ1 を１００とした場合に５〜２５とするのが好ましい。また、おむつ本体１０の長さＬ1 は３５０〜５００mmとするのが好ましく、上記弾性部材付設シート７の幅Ｗ1 は、３０〜１００mmとするのが好ましい。尚、上記弾性部材付設シート７の幅Ｗ1 は、上記胴部５の巾にほぼ等しい。
尚、本発明の使い捨ておむつを大人用として用いる場合には、上記長さＬ1 は最大１０００mm迄とすることができ、また上記幅Ｗ1 は最大２００mmとすることができる。
上記弾性部材付設シート７の延出長さＬ2 は、上記おむつ本体１０の幅Ｗ2 に対して、該おむつ本体１０の幅Ｗ2 を１００とした場合に３０〜２００とするのが好ましい。また、上記弾性部材付設シート７の延出長さＬ2 は、３５〜１００mmとするのが好ましく、上記おむつ本体１０の幅Ｗ2 は、３００〜４００mmとするのが好ましい。
【００１２】
また、上記胴部弾性部材５１は、図２及び３に示すように、２層の弾性部材付設シート７、７間において接着剤を介して固着されており、上記弾性部材付設シート７の幅方向全域に亘ってほぼ等間隔に６本設けられている。
各上記胴部弾性部材５１間の間隔Ｄ1 は、３〜２０mmとするのが好ましい。
【００１３】
上記第１レッグ部弾性部材６２は、図４に示すように、上記おむつ本体１０の左右両側縁部における吸収体４が存在しない箇所において、該おむつ本体１０の長手方向に沿って２本づつ配されており、上記トップシート２と上記バックシート３とにより挟持固定されている。
また、上記第２レッグ部弾性部材６３は、図２に示すように、おむつの股下部Ｃの中央に位置する中央部６３ｂが折曲点となるように、中央部６３ｂで折曲された折線状に３本づつ配されている。また、該第２レッグ部弾性部材６３は、上記バックシート３と上記吸収体４との間に位置するように配されている。
そして、上記第１レッグ部弾性部材６２と上記第２レッグ部弾性部材６３とにより、３角形状が形成されるようになされている。また、上記第１レッグ部弾性部材６２と上記第２レッグ部弾性部材６３との間には、吸収体４が存在するようになされている。
また、該第１レッグ部弾性部材６２及び第２レッグ部弾性部材６３は、図２に示すように、いずれも、それらの両端部が、上記弾性部材付設シート７に重ならないか又は重なってもそれらの端部が少し重なる程度となるように配されている。即ち、上記第１及び第２レッグ部弾性部材６２、６３は、該第１及び第２レッグ部弾性部材６２、６３により、上記弾性部材付設シート７におむつの長手方向への弾性力が加わってギャザーが形成されることのないように配するのが、フィット性や装着感の点から好ましい。
【００１４】
上記第１レッグ部弾性部材６２と上記第２レッグ部弾性部材６３との股下部Ｃの中央部における間隔Ｄ2 （図４参照）は、５〜１５０mmとするのが好ましい。
また、股下部Ｃの中央部における各第２レッグ部弾性部材６３、６３間の間隔Ｄ3 （図２参照）は、−１５０〜１５０mmとするのが好ましい。（尚、−の場合は、各第２レッグ部弾性部材６３，６３が交差する場合である）
【００１５】
また、上記接合部８は、各弾性部材付設シート７の上記トップシート２側同士が当接するように、側縁部７ａ，７ｂと側縁部７ａ’，７ｂ’とが接合されて形成されている。そして、このように接合されることにより、腹側部Ａの胴部５に形成されたギャザーと背側部Ｂの胴部５に形成されたギャザーとが連結されて、実質的におむつの胴周囲全体に連続した胴回りギャザーが形成される。
【００１６】
ここで、上記弾性部材付設シート７としては、下記する形成材料からなるシートなどを好ましく挙げることができる。
不織布、フィルム、布などが用いられ、特に、通気性、肌触りの点で不織布が好ましい。
【００１７】
また、上記胴部弾性部材５１並びに第１及び２レッグ部弾性部材６２、６３としては、通常使い捨ておむつに用いられているものであれば特に制限なく用いることができるが、上記胴部弾性部材５１の太さは、０．１〜０．５mmとするのが好ましく、上記第１レッグ部弾性部材６２の太さは、０．１〜０．５mmとするのが好ましく、上記第２レッグ部弾性部材６３の太さは、０．１〜０．５mmとするのが好ましい。更に、上記胴部弾性部材５１の弾性率は、１．０〜５．０×１０6 Paとするのが好ましく、上記第１レッグ部弾性部材６２の弾性率は、１．０〜５．０×１０6 Paとするのが好ましく、上記第２レッグ部弾性部材６３の弾性率は、１．０〜５．０×１０6 Paとするのが好ましい。
尚、上記弾性率は、下記の如くして測定されるものである。
弾性率は、「レオメーターＤＭＳ２００」（セイコーインストルメンツ社製）を用いて常法に準じて測定。
各第１及び第２レッグ部弾性部材の伸張率は、２０〜３００％とするのが好ましい。
【００１８】
本形態のパンツ型の使い捨ておむつ１は、通常公知のパンツ型の使い捨ておむつと同様にして使用することができる。
具体的には、図５に示すように、従来のパンツ型の使い捨ておむつと同様にして装着して用いることができる。そして、本形態の使い捨ておむつ１は、上述の構成を具備しているため、脚周りＲの開放感に優れている。また、上記第１及び第２レッグ部弾性部材６２、６３を有しているため、脚周りＲの開放感に優れた構成としても、フィット性を損なうことがなく、フィット性に優れ且つ漏れ防止性に優れたものである。
更に、本形態のパンツ型の使い捨ておむつ１は、図５に示すように、使用者において、股下部Ｃに３つ、腹側部Ａ及び背側部Ｂにおける着用者の下腹部に位置する部位にそれぞれ１つづつ、使い捨ておむつのおむつ本体１０が外方に凸状に起伏してなるポケット部９ａ、９ｂ、９ｃが形成される。即ち、本形態のパンツ型の使い捨ておむつ１は、上記第１及び第２レッグ部弾性部材６２、６３と上記胴部弾性部材５１とにより、腹側部Ａ及び背側部Ｂにおける着用者の下腹部に位置する部位にそれぞれ１つづつポケット部９ａ（背側部Ｂに形成されたポケット部は図示せず）が形成されるようになされており、また、上記第１及び第２レッグ部弾性部材６２、６３により、着用時に着用者の股下に位置する股下部Ｃにおいて、第１レッグ部弾性部材６２と第２レッグ部弾性部材６３との間にポケット部９ｃが形成され、一対の第２レッグ部弾性部材６３間にポケット部９ｂが形成されるようになされている。そして、該ポケット部９ａ、９ｂ、９ｃがあることにより、更に漏れ防止性が向上されている。
【００１９】
本形態の使い捨ておむつ１は、好ましくは、下記の如くして製造することができる。
即ち、上記トップシート２上に上記第１及び第２レッグ部弾性部材６２、６３を配した後、上記吸収体４を載置し、また、別に上記胴部弾性部材５１を配して形成した上記弾性部材付設シート７を上記トップシート２上に配し、更に該吸収体及び該弾性部材付設シート７を覆うように上記バックシート３を配して弾性部材付設シート７が配されたおむつ本体１０を形成する。次いで、上記弾性部材付設シート７における上記おむつ本体１０から延出されている部分をそれぞれヒートシールなどにより接合して、本形態の使い捨ておむつを得ることができる。
【００２０】
尚、本発明の使い捨ておむつは、上述の形態に制限されるものではなく、本発明の趣旨を逸脱しない範囲で種々変更可能である。
例えば、上記第２レッグ部弾性部材６３は、トップシート２と吸収体４との間に位置するように配してもよい。
【００２１】
【発明の効果】
本発明のパンツ型の使い捨ておむつは、脚周りの開放感が良好で、装着感に優れ、更にはフィット性及び生産性にも優れたものである。
【図面の簡単な説明】
【図１】図１は、本発明のパンツ型の使い捨ておむつの１形態を示す斜視図である。
【図２】図２は、図１に示すパンツ型の使い捨ておむつの展開図である。
【図３】図３は、図２のIII -III拡大断面図である。
【図４】図４は、図２のIV-IV 拡大断面図である。
【図５】図５は、本発明のパンツ型の使い捨ておむつの使用状態を示す概要図である。
【符号の説明】
１  使い捨ておむつ
２  トップシート
３  バックシート
４  吸収体
５  胴部
６  レッグ部
７  弾性部材付設シート
７０ａ、７０ｂ、７０ａ’、７０ｂ’  側方部
８  接合部
１０  おむつ本体
１０ａ、１０ｂ  側縁
５０  胴回り部
５１  胴部弾性部材
６１  レッグ部弾性部材
６２  第１レッグ部弾性部材
６３  第２レッグ部弾性部材
Ａ  腹側部
Ｂ  背側部
Ｃ  股下部
【図１】
0003926013.tif 000002
【図２】
0003926013.tif 000003
【図３】
0003926013.tif 000004
【図４】
0003926013.tif 000005
【図５】
0003926013.tif 000006